(57)【要約】      （修正有）【課題】離型紙を取外した後の医療テープの薬剤層をベース層から迅速に識別でき、医療テープの貼付方向を迅速に判断でき、且つ、貼り付けた医療テープの上面と衣装との調和性を増加できる、医療テープを提供する。【解決手段】ベース層２１と、粘着性を有する薬剤で構成されベース層の下面に設けられる薬剤層２２と、薬剤層の下面に貼り付けられる離型紙２３と、を含む医療テープ２において、ベース層の上面に模様層２４が設けられ、好ましくは、模様層に模様又は文字が設けられ、好ましくは、模様層に模様又は文字を設ける方法は、印刷、染色、刺繍、エンボスの何れかとする。【選択図】図２
0003162497.tif 000002
【実用新案登録請求の範囲】
【請求項１】
ベース層と、粘着性を有する薬剤で構成され前記ベース層の下面に設けられる薬剤層と、前記薬剤層の下面に貼り付けられる離型紙と、を含む医療テープにおいて、
前記ベース層の上面に模様層が設けられることを特徴とする医療テープ。
【請求項２】
前記模様層には、模様又は文字が設けられることを特徴とする、請求項１に記載の医療テープ。
【請求項３】
前記模様層に模様又は文字を設ける方法は、印刷、染色、刺繍、エンボスを含む方法の何れかである、ことを特徴とする、請求項２に記載の医療テープ。
【請求項４】
ベース層と、粘着性を有する薬剤で構成され前記ベース層の下面に設けられる薬剤層と、前記薬剤層の下面に貼り付けられる離型紙と、を含む医療テープにおいて、
前記ベース層の上面に貼付層が設けられることを特徴とする医療テープ。
【請求項５】
前記貼付層に模様層が設けられ、前記模様層に模様又は文字が設けられることを特徴とする、請求項４に記載の医療テープ。
【請求項６】
前記模様層に模様又は文字を設ける方法は、印刷、染色、刺繍、エンボスを含む方法の何れかである、ことを特徴とする、請求項５に記載の医療テープ。
【請求項７】
前記貼付層に装飾物が設けられることを特徴とする、請求項４に記載の医療テープ。
【考案の詳細な説明】
【技術分野】
【０００１】
本考案は、医療テープに係り、より詳しくは、ベース層の上面に模様層が設けられた医療テープに関するものである。
【背景技術】
【０００２】
経済の発展により、長時間にわたりコンピュータを使用する国民が多くなり、これにより、頚部や背部が痛くなる国民が多くなり、特に仕事をするときの姿勢が適正でないと、頚部、背部や、その他の部位の関節や筋肉が痛くなり易い。これらの痛みを迅速に緩和するために、患部に医療テープを貼り付ける国民が多い。台湾リハビリ医学会の２００６年３月の電話調査の結果によると、筋肉痛や関節痛のときには、６割の台湾人の患者が何らかの民間治療に頼り、そのうちの１６％が医療テープを利用している。
【０００３】
しかし、図１に示すように、従来の医療テープ１は、ベース層１１の下面に薬剤層１２が設けられ、薬剤層１２が粘着性を有することから、対象物以外のものへの粘着を防止するために、薬剤層１２の上面に離型紙１３が設けられる。医療テープ１を利用したいときには、まず、離型紙１３を取外す。従来の医療テープ１のベース層１１は淡色の不織布を採用することが多い。医療テープ１を利用するときには、特に医療テープ１のカバー面積が大きく、使用時間が長く、衣装にカバーされない患部に医療テープ１を貼り付ける場合には、医療テープ１の上面となるベース層１１と衣装とは釣合いが取れない、という問題があった。また、離型紙１３を取外した後、ベース層１１と薬剤層１２との表面の色が一般によく似ているので、薬剤層１２を迅速に識別できず、患部に医療テープ１を迅速に貼付できない、という問題があった。
【考案の概要】
【考案が解決しようとする課題】
【０００４】
従って、本考案の主な目的は、離型紙１３を取外した後のベース層１１から薬剤層１２を迅速に識別でき、従って患部に医療テープ１を迅速に貼付でき、且つ、貼り付けた医療テープ１の上面となるベース層１１と衣装との釣合いを取りやすい医療テープを提供することにある。
【課題を解決するための手段】
【０００５】
本考案の医療テープによると、ベース層（２１）と、粘着性を有する薬剤で構成され前記ベース層（２１）の下面に設けられる薬剤層（２２）と、前記薬剤層（２２）の下面に貼り付けられる離型紙（２３）と、を含む医療テープ（２）において、
前記ベース層（２１）の上面に模様層（２４）が設けられることを特徴とする。
【０００６】
本考案の医療テープによると、前記模様層（２４）には、模様又は文字が設けられることを特徴とする。
【０００７】
本考案の医療テープによると、前記模様層（２４）に模様または文字を設ける方法は、印刷、染色、刺繍、エンボスを含む方法の何れかである、ことを特徴とする。
【０００８】
本考案の医療テープによると、ベース層（３１）と、粘着性を有する薬剤で構成され前記ベース層（３１）の下面に設けられる薬剤層（３２）と、前記薬剤層（３２）の下面に貼り付けられる離型紙（３３）と、を含む医療テープ（３）において、
前記ベース層（３１）の上面に貼付層（３５）が設けられることを特徴とする。
【０００９】
本考案の医療テープによると、前記貼付層（３５）に模様層（３６）が設けられ、前記模様層（３６）に模様又は文字が設けられることを特徴とする。
【００１０】
本考案の医療テープによると、前記模様層（３６）に模様又は文字を設ける方法は、印刷、染色、刺繍、エンボスを含む方法の何れかである、ことを特徴とする。
【００１１】
本考案の医療テープによると、前記貼付層（３５）に装飾物（３７）が設けられることを特徴とする。
【考案の効果】
【００１２】
本考案の医療テープによれば、次のような効果がある。
（１）例えば、外出するときには、衣装に釣合う模様層を有する医療テープを使用することにより、全体の調和性が増加する。
【００１３】
（２）模様層に設けられる模様又は文字が限定されないので、相違する模様又は文字により、医療テープの薬剤層を迅速に識別でき、さらに医療テープの用途を区別できる。
【００１４】
（３）模様層に設けられる模様又は文字をファッションとして設計でき、全体の見栄えが良くなる。
【００１５】
（４）模様層に模様又は文字が設けられるので、ユーザは、医療テープの薬剤層を迅速に識別でき、医療テープの貼付方向を迅速に判断できる。
【図面の簡単な説明】
【００１６】
【図１】従来の医療テープの分解斜視図である。
【図２】本考案の第１実施形態の分解斜視図である。
【図３】本考案の第１実施形態の分解斜視図である。
【図４】本考案の第１実施形態の分解斜視図である。
【図５】本考案の第１実施形態の斜視図である。
【図６】本考案の第１実施形態の医療テープが、肘関節部に貼り付けられた状態の模式図である。
【図７】本考案の第１実施例の医療テープの使用状態を示す模式図である。
【図８】図７のうち、肩部の拡大模式図である。
【図９】図７のうち、膝関節部の拡大模式図である。
【図１０】本考案の第２実施形態の分解斜視図である。
【図１１】本考案の第２実施形態の分解斜視図である。
【図１２】本考案の第２実施形態の医療テープの使用状態を示す模式図である。
【考案を実施するための形態】
【００１７】
以下、本考案の実施の形態を図面に基づいて説明する。
（第１実施形態）
まず、図２は、本実施形態の１実施例の分解斜視図であって、医療テープ２は、ベース層２１と、薬剤層２２と、離型紙２３と、を含む。
【００１８】
ベース層２１は、伸縮性を有し、その上面に模様層２４が設けられ、模様層２４に模様又は文字が設けられる。図３及び図４は各々、この模様又は文字のうち模様に関する別の実施例を示す。模様層２４に模様又は文字を設ける方法としては、印刷、染色、刺繍、エンボス、又は、それ以外の何れかの方法を採用する。このように模様層２４に模様又は文字が設けられているので、ユーザは、医療テープ２の薬剤層２２を迅速に識別でき、医療テープ２の貼付方向を迅速に判断できる。
【００１９】
薬剤層２２は、粘着性を有する薬剤で構成され、ベース層２１の下面に設けられる。
離型紙２３は、薬剤層２２の下面に貼り付けられ、医療テープ２を利用する前に取外される。
【００２０】
図５は、本実施形態の１実施例の斜視図であって、医療テープ２は、ベース層２１の上面に模様層２４が設けられている。
図６、図７は、本実施形態の他の実施例の斜視図であって、図６は、医療テープが肘関節部に貼り付けられた状態の模式図、図７は、医療テープが肩部と膝関節部に貼り付けられた状態の模式図である。
図８、図９は各々、図７のうち、肩部と膝関節部の拡大模式図である。
模様層２４に模様又は文字を設ける方法としては、印刷、染色、刺繍、エンボス、又は、それ以外の何れかの方法を採用する。
医療テープ２を利用する前に、薬剤層２２の下面から離型紙２３を取外した後、模様層２４に模様又は文字が設けられているので、ユーザは、医療テープ２の薬剤層２２を迅速に識別でき、医療テープ２の貼付方向を迅速に判断できる。
【００２１】
（第２実施形態）
図１０、１１は、本実施形態の１実施例及び他の実施例の分解斜視図であって、医療テープ３は、ベース層３１と、薬剤層３２と、離型紙３３と、を含む。ベース層３１は、伸縮性を有し、その上面に貼付層３５が設けられる。貼付層３５は、不織布、又は多数の貫通孔が設けられた紙などの通気できる素材で構成される。貼付層３５の上面に模様層３６が設けられ、模様層３６には、図１１、１０に各々示すように、模様又は文字が設けられる。
図１２は、図１０に示した医療テープを額部に貼って使用した場合を示す。
模様層３６に模様又は文字を設ける方法としては、印刷、刺繍、エンボス、又は、それ以外の何れかの方法を採用する。縫合又は粘着などの方法により、貼付層３５がベース層３１の上面に固定される。もちろん、適当な方法により、ベース層３１の上面に貼付層３５を脱着可能に固定してもよい。また、図１１に示すように、貼付層３５又は模様層３６の上面に装飾物３７を設けてもよい。薬剤層３２は、粘着性を有する薬剤で構成され、ベース層３１の下面に設けられる。離型紙３３は、薬剤層３２の下面に貼り付けられ、医療テープ３を利用する前に取外される。医療テープ３を利用する前に、薬剤層３２の下面から離型紙３３を取外した後、貼付層３５に設けられる模様層３６又は装飾物３７により、ユーザは、医療テープ３の薬剤層３２を迅速に識別でき、医療テープ３の貼付方向を迅速に判断できる。
【産業上の利用可能性】
【００２２】
本考案は、医療テープに適用することができる。
【符号の説明】
【００２３】
１、２、３    医療テープ
１１、２１、３１    ベース層
１２、２２、３２    薬剤層
１３、２３、３３    離型紙
２４、３６    模様層
３５    貼付層
３７    装飾物
【図１】
0003162497.tif 000003
【図２】
0003162497.tif 000004
【図３】
0003162497.tif 000005
【図４】
0003162497.tif 000006
【図５】
0003162497.tif 000007
【図６】
0003162497.tif 000008
【図７】
0003162497.tif 000009
【図８】
0003162497.tif 000010
【図９】
0003162497.tif 000011
【図１０】
0003162497.tif 000012
【図１１】
0003162497.tif 000013
【図１２】
0003162497.tif 000014